(57)【特許請求の範囲】
【請求項１】
日照の有無を検出するための日照検出装置（１２）と、電動ブラインド（１６）に対する制御信号を出力する自動制御手段（３８）とを備え、電動ブラインド（１６）を自動制御する電動ブラインドの制御装置（１０）において、
前記日照検出装置（１２）は、照度を検出する照度センサ（５２）と、照度センサ（５２）への太陽の存在する方向からの直射光の入射を遮蔽する第１相対位置と、照度センサ（５２）への太陽の存在する方向からの直射光の入射を遮蔽しない第２相対位置とを少なくとも通過するようにして照度センサ（５２）に対して相対運動を行う遮蔽部材（５４）とからなり、
前記日照検出装置（１２）の照度センサ（５２）の照度値と、照度センサ（５２）と遮蔽部材（５４）との間の相対位置との関係から日照の有無を判定する日照判定手段（４０）をさらに備え、
前記自動制御手段（３８）は、前記日照判定手段（４０）による日照有無判定結果に基づき電動ブラインド（１６）を制御することを特徴とする電動ブラインドの制御装置。
【請求項２】
前記日照判定手段（４０）は、照度センサ（５２）からの照度値によって求められる、照度センサ（５２）が遮蔽部材（５４）によってその照度が影響を受けない全天空照度値（Ａ）と、照度センサ（５２）が遮蔽部材（５４）によって太陽の存在する方向からの直射光が遮られた散乱照度値（Ｂ）との差異である直達照度値（ΔＩ）から日照の有無を判定することを特徴とする請求項１記載の電動ブラインドの制御装置。
【請求項３】
前記日照判定手段（４０）は、前記直達照度値（ΔＩ）と予め設定した設定値（ΔＴｈ）との比較結果を前記日照有無判定結果とすることを特徴とする請求項２記載の電動ブラインドの制御装置。
【請求項４】
前記自動制御手段（３８）は、前記直達照度値（ΔＩ）が設定値（ΔＴｈ）より小さい場合には、ブラインドの開度を高くすることを特徴とする請求項３記載の電動ブラインドの制御装置。
【請求項５】
前記自動制御手段（３８）は、前記直達照度値（ΔＩ）が設定値（ΔＴｈ）より大きい場合には、ブラインドの開度を日射を遮蔽する開度に制御することを特徴とする請求項３または４記載の電動ブラインドの制御装置。
【請求項６】
前記遮蔽部材（５４）は、照度センサ（５２）の周囲を所定周期で回転する部材であり、遮蔽部材（５４）が回転して太陽と照度センサ（５２）との間に配置された位置を、前記第１相対位置とすることを特徴とする請求項１ないし５のいずれか１項に記載の電動ブラインドの制御装置。
【請求項７】
前記遮蔽部材（５４）は、太陽の移動方向に平行な方向に移動することを特徴とする請求項１ないし６のいずれか１項に記載の電動ブラインドの制御装置。
【請求項８】
前記照度センサ（５２）と遮蔽部材（５４）は、直交する２軸回りに一体的に回転可能であり、太陽の位置の変化にかかわらず前記第１相対位置が一定となるように、前記２軸回りに回転することを特徴とする請求項１ないし７のいずれか１項に記載の電動ブラインドの制御装置。
【請求項９】
前記日照検出装置（１２）は複数個離間して設けられており、さらに、周囲の建物によって該電動ブラインド（１６）が設置される建物に形成される影の座標データが日時データと関連付けられて格納されたシャドウファイル（３５）を備えており、
前記日照判定手段（４０）は、前記シャドウファイル（３５）から現在の日時データに対応する影の座標データを取得し、該座標データから各日照検出装置（１２）が影内にあるか否かを判定し、該影内にあると判定された日照検出装置（１２）からの照度値を除外して日照の有無の判定を行なうことを特徴とする請求項１ないし８のいずれか１項に記載の電動ブラインドの制御装置。
【発明の詳細な説明】
【技術分野】
【０００１】
本発明は、電動ブラインドを自動制御する電動ブラインドの制御装置に関し、特に天候に応じた制御を行なうことができる電動ブラインドの制御装置に関する。
【背景技術】
【０００２】
従来、天候に応じた制御を行なう電動ブラインドの制御装置としては、特許文献１（特開平２−１０８７８４号公報）に記載されたものが知られている。この公報に記載の制御装置では、日射量検出器からの出力を増幅器にて増幅した後、比較器により基準電圧と比較して、晴れと曇り（または雨）の判定を行い、その判定結果に従い、各ブラインドのスラット角度を調整するようにしている。
【０００３】
こうして日照判定機能を持たせることにより、ブラインドを晴れと曇りに応じた状態に一致させて制御することができるようになっている。
【０００４】
しかしながら、上記特許文献１による天候判断は、比較器によって、日射量検出器からの出力と予め定めた基準値に相当する基準電圧との比較に基づいて行っているが、正午と日没間際といった時間帯や、夏季と冬季といった季節が異なると、晴れの状態の照度値は変化し、照度値が低くても晴れであったり、照度値が高くても曇りであったりすることはあるため、日射量検出器からの出力と予め定めた基準電圧との単なる比較では、誤判定を招く、という問題がある。また、実際に太陽が薄い雲に隠れて直射日光がないのにもかかわらず照度が高い、所謂薄曇りの時も、晴れと誤判定してしまうおそれがある。
【０００５】
例えば、晴れであるにもかかわらず、曇りと誤判定してしまい、ブラインドの開度を高く制御してしまうと、直接日光が室内に入ってしまい、ユーザに不快感を与えてしまうという問題がある。
【０００６】
一方、精度良く直射光を検出するものとして、特許文献２に記載された太陽追尾型センサが知られており、この太陽追尾型センサでは、太陽追尾装置に第一の照度計を搭載して太陽軌跡を追尾可能とし、第一の照度計の受光角を直射光を受光するために必要とする狭い角度とし、第二の照度計を直射光を受光不能に設置して、第一の照度計と第二の照度計との検出照度の比較値から、直射光の有無を検出している。
【０００７】
しかしながら、かかる太陽追尾型センサでは、太陽光追尾装置と２つの照度計が必須であり、全体的に高価な装置になってしまうという問題がある。
【０００８】
【特許文献１】特開平２−１０８７８４号公報
【特許文献２】特開２００５−３５２４号公報
【発明の開示】
【発明が解決しようとする課題】
【０００９】
本発明はかかる課題に鑑みなされたもので、日照があるか否かを精度良く判定することができ、且つ全体の装置を低コストで構成することができる電動ブラインドの制御装置を提供することをその目的とする。
【課題を解決するための手段】
【００１０】
前述した目的を達成するために、請求項１記載の発明は、日照の有無を検出するための日照検出装置と、電動ブラインドに対する制御信号を出力する自動制御手段とを備え、電動ブラインドを自動制御する電動ブラインドの制御装置において、
前記日照検出装置は、照度を検出する照度センサと、照度センサへの太陽の存在する方向からの直射光の入射を遮蔽する第１相対位置と、照度センサへの太陽の存在する方向からの直射光の入射を遮蔽しない第２相対位置とを少なくとも通過するようにして照度センサに対して相対運動を行う遮蔽部材とからなり、
前記日照検出装置の照度センサの照度値と、照度センサと遮蔽部材との間の相対位置との関係から日照の有無を判定する日照判定手段をさらに備え、
前記自動制御手段は、前記日照判定手段による日照有無判定結果に基づき電動ブラインドを制御することを特徴とする。
【００１１】
請求項２記載の発明は、請求項1記載の前記日照判定手段が、照度センサからの照度値によって求められる、照度センサが遮蔽部材によってその照度が影響を受けない全天空照度値と、照度センサが遮蔽部材によって太陽の存在する方向からの直射光が遮られた散乱照度値との差異である直達照度値から日照の有無を判定することを特徴とする。
【００１２】
請求項３記載の発明は、請求項２記載の前記日照判定手段が、前記直達照度値と予め設定した設定値との比較結果を前記日照有無判定結果とすることを特徴とする。
【００１３】
請求項４記載の発明は、請求項３記載の前記自動制御手段が、前記直達照度値が設定値より小さい場合には、ブラインドの開度を高くすることを特徴とする。
【００１４】
請求項５記載の発明は、請求項３または４記載の前記自動制御手段が、前記直達照度値が設定値より大きい場合には、ブラインドの開度を日射を遮蔽する開度に制御することを特徴とする。
【００１５】
請求項６記載の発明は、請求項１ないし５のいずれか１項に記載の前記遮蔽部材が、照度センサの周囲を所定周期で回転する部材であり、遮蔽部材が回転して太陽と照度センサとの間に配置された位置を、前記第１相対位置とすることを特徴とする。
【００１６】
請求項７記載の発明は、請求項１ないし６のいずれか１項に記載の前記遮蔽部材が、太陽の移動方向に平行な方向に移動することを特徴とする。
【００１７】
請求項８記載の発明は、請求項１ないし７のいずれか１項に記載の前記照度センサと遮蔽部材が、直交する２軸回りに一体的に回転可能であり、太陽の位置の変化にかかわらず前記第１相対位置が一定となるように、前記２軸回りに回転することを特徴とする。
【００１８】
請求項９記載の発明は、請求項１ないし８のいずれか１項に記載の前記日照検出装置が複数個離間して設けられており、さらに、周囲の建物によって該電動ブラインドが設置される建物に形成される影の座標データが日時データと関連付けられて格納されたシャドウファイルを備えており、
前記日照判定手段は、前記シャドウファイルから現在の日時データに対応する影の座標データを取得し、該座標データから各日照検出装置が影内にあるか否かを判定し、該影内にあると判定された日照検出装置からの照度値を除外して日照の有無の判定を行なうことを特徴とする。
【発明の効果】
【００１９】
本発明によれば、照度センサへの太陽の存在する方向からの直射光の入射を遮蔽する第１相対位置と、照度センサへの太陽の存在する方向からの直射光の入射を遮蔽しない第２相対位置といった照度センサと遮蔽部材との相対位置関係と照度センサで検出される照度との関係は、太陽が出ているときと出ていないときとで有意な差異がでる。よってこの差異に基づき日照の有無を正確に判定することができるようになる。
【００２０】
日照検出装置は、照度センサと遮蔽部材とから構成されるために、安価に本制御装置を構築することができる。
【００２１】
請求項２及び３記載の発明によれば、日照が有れば、全天空照度値と散乱照度値との差異である直達照度値は大きく、日照が無ければ、直達照度値は小さいはずであるので、照度センサと遮蔽部材との相対位置を変化させることにより直達照度値を求め、直達照度値から日照の有無を判定することができるようになる。
【００２２】
請求項４記載の発明によれば、直達照度値が小さいときは日照が無いと考えられるので、その場合にはブラインドの開度を高くして、外光を多く採り入れるように制御することができる。よって、照明や空調などのエネルギー消費を軽減させることができる。
【００２３】
請求項５記載の発明によれば、直達照度値が大きいときには日照が有ると考えられるので、その場合にはブラインド開度を日射を遮蔽する開度に制御することにより、快適な室内環境を提供することができ、空調などのエネルギー消費を軽減させることができる。
【００２４】
請求項６記載の発明によれば、遮蔽部材が照度センサの周囲を所定周期で回転することにより、太陽の位置の変化にかかわらず、必ず第１相対位置を実現させることができる。また、遮蔽部材を回転させることによって、安価に構成することができる。
【００２５】
請求項７記載の発明によれば、遮蔽部材が太陽の移動方向と平行な方向に移動することによって、太陽の位置の変化にかかわらず、必ず第１相対位置及び第２相対位置を実現させることができる。
【００２６】
請求項８記載の発明によれば、照度センサと遮蔽部材を２軸回りに一体的に回転させることにより、太陽の位置（方位、仰角）の変化にかかわらず、第１相対位置を一定にして測定条件を一定にすることができるために、より精度良く検出することができる。
【００２７】
請求項９記載の発明によれば、周囲の建物によって影に入った日照検出装置からの検出信号を採用しないようにして、誤差の発生を防ぎ、より高精度に日照の有無の判定を行なうことができるようになる。影は日時によって変化するので、シャドウファイルを参照することにより、影内にあるか否かを正確に判定することができる。
【発明を実施するための最良の形態】
【００２８】
以下、図面を用いて本発明の実施の形態を説明する。
図１は、本発明による電動ブラインドの制御装置及び電動ブラインドを含む構成概要図である。図において、１０は電動ブラインドの制御装置であり、制御装置１０は、主として、日照検出装置１２と、中央制御装置１３と、を備えている。
【００２９】
また、制御装置１０はフロア毎に設置されるフロア制御装置１４を介して、各フロア毎に配置される電動ブラインド１６のブラインド制御装置１８に接続される。電動ブラインド１６としては、横型ブラインド、ローススクリーン、カーテン、シャッタ等の任意の電動開閉装置とすることができる。
【００３０】
日照検出装置１２からの信号は、フロア制御装置１４を介して中央制御装置１３に接続される。
【００３１】
図２Ａに詳細に示したように、中央制御装置１３は、コンピュータで構成され、ＣＰＵ、ＲＯＭ、ＲＡＭ等を有し、プログラムに従いデータの転送、演算、一時的なデータの格納またはメインプログラムの格納を行う制御回路２８と、フロア制御装置１４を介してブラインド制御装置１８との間でデータの入出力の制御を行うＩ／Ｏ制御回路３０と、データ及びプログラムの格納を行うメモリ３４と、を備えている。
【００３２】
さらに、制御回路２８は、一定周期毎に電動ブラインド１６の開閉度の自動制御処理を行う自動制御手段３８と、日照判定手段４０とを備えている。
【００３３】
日照検出装置１２は、図３に示すように、その基本構成は、１つの照度センサ５２と、その照度センサ５２に対して相対運動可能となった遮蔽部材である帯状の遮蔽板５４と、を備える。照度センサ５２と遮蔽板５４の間の相対運動を発生させるためには、これらのいずれかまたはいずれも駆動可能であるが、好ましくは、遮蔽板５４の方だけを駆動可能とすると簡単に安価に構成することができる。この実施形態では、遮蔽板５４を駆動する駆動手段である減速機付きステッピングモータ５６が設けられている（図２Ａ）。
【００３４】
照度センサ５２は、モータケース５５から伸びるブラケット５５ａの先端部に設けられており、基本的には、照度センサ５２はその方向を鉛直方向に向けて配置される。モータケース５５内には前記モータ５６が収容されており、その出力軸５６ａはモータケース５５から突出して、出力軸５６ａに遮蔽板５４の基部が連結される。
【００３５】
遮蔽板５４は薄肉の黒色をなした片材で、基本的にその側面形状が円弧状をなしているとよく、モータ５６によって回転駆動される遮蔽板５４の移動軌跡がなす形状は球面をなすようになっており、その球面の中心位置に照度センサ５２が位置づけられるとよい。そして、図７に示すように、遮蔽板５４の移動方向は太陽の移動方向と平行となっている。
【００３６】
日照検出装置１２は、さらにモータケース５５内に、図２Ａに示すようにモータ５６の駆動を制御するモータ駆動回路５７と、演算装置５８とを備える。
【００３７】
日照検出装置１２の計測動作中、モータ駆動回路５７は、モータ５６を一定の速度で所定周期で回転駆動し、照度センサ５２からの信号及びモータ駆動回路５７からの回転角度信号は、演算装置５８へと入力される。図２Ｂに示すように、演算装置５８には、Ａ／Ｄ変換器５９と、現在の日時を記録する日時メモリ６０と、日時及び緯度・経度に対応付けられた太陽の仰角及び方位を記録する太陽位置メモリ６２と、直達照度値を演算する直達照度演算部６４とを備えている。
【００３８】
演算装置５８は、図７に示したように、遮蔽板５４が１回転する間に、一定の時間間隔（例えば、遮蔽板５４の１度の回転角に対応する時間間隔とする）で、照度センサ５２からの受光した日射量を表す照度データを取り込み、そのときのモータの回転角度を表す回転角度データと関連付けて一旦メモリに格納しており、直達照度演算部６４は、これらの照度データから、直達照度値を求めるものである。
【００３９】
図４は、直達照度演算部６４で行なわれる処理を表すフローチャートである。まず、日時メモリ６０から現在の日時を取得し、太陽位置メモリ６２を参照して、現在の日時に対応する太陽位置（仰角と方位）を求める（ステップＳ１２）。
【００４０】
次いで、現在の太陽位置に対して、格納した照度データの中から、遮蔽板５４の中心が太陽の位置と照度センサ５２とを結ぶ直線上にある第１相対位置における照度データと、遮蔽板５４がその他の位置にある第２相対位置における照度データを取り込む（ステップＳ１４）。第２相対位置とは、１つの位置とは限らず、複数の位置とすることができ、第１相対位置に対して所定の相対位置関係にある１つ以上の位置とすることができる。
【００４１】
そして、直達照度演算部６４は、第１相対位置における照度データと、第２相対位置における照度データから、遮蔽板５４が照度センサ５２に全く影響を与えない全天空照度値Ａと、遮蔽板５４によって太陽の直射光が遮蔽された直射光以外の散乱光による散乱照度値Ｂとを求める（ステップＳ１６）。基本的には、全天空照度値Ａは、第２相対位置における照度データに基づき求められ、散乱照度値Ｂは、第１相対位置における照度データに基づき求められる。但し、精度を上げるためには、それぞれの他の位置における照度データ、例えば第１相対位置と第２相対位置との中間の位置にある第３相対位置における照度データに基づき、補正をすることも可能である。
【００４２】
次いで、全天空照度値Ａと散乱照度値Ｂとの差異を求める（ステップＳ１８）。即ち、
[数１]
ΔＩ＝|Ａ−Ｂ|／ｃｏｓθ  （θ：天頂角＝９０度−仰角）        （１）
となる。この直達照度値ΔＩは、太陽からの直達の日射を表すことになる。ｃｏｓθは、第１相対位置における太陽の仰角の影響を補正するためのものである。この直達照度値ΔＩは、検出信号として出力される（ステップＳ２０）。
【００４３】
前記日照検出装置１２からの検出信号は、１つのフロア制御装置１４を介して中央制御装置１３に入力される。尚、検出信号はフロア制御装置１４を介することなく、中央制御装置１３に直接入力するようにすることも可能であるが、一つのフロア制御装置１４に一旦、入力することで、中央制御装置１３の負荷を軽減することができる。中央制御装置１３は、フロア制御装置１４を介して直達照度値ΔＩを取り込むか、または、一定周期でフロア制御装置１４に格納された直達照度値ΔＩを取り込むことができる。
【００４４】
中央制御装置１３の自動制御手段３８では、図５に示すフローチャートに従って自動制御処理が行われる。まず、自動制御を行なう周期に相当する時間Ｔを計時し（ステップＳ１０２）、時間Ｔが経過すると、以下に詳細に述べる日照判定手段４０による日照判定を行い（ステップＳ１１０）、日照有りと判定された場合には、日射を遮蔽する日射遮蔽開度を演算する（ステップＳ１１６）。日射遮蔽開度としては、例えば、電動ブラインド１６が横型ブラインドである場合には、スラットの回転角度の度合いまたはスラットの昇降高さの度合いのいずれか一方または両方とすることができ、縦型ブラインドである場合には、ルーバの回転角度の度合いまたはルーバの移動位置の度合いのいずれか一方または両方とすることができる。また、例えば、電動ブラインド１６がロールスクローンである場合には、開度はスクリーンの昇降高さの度合いとすることができる。日射を遮蔽する開度としては、太陽位置情報及び電動ブラインド１６の取付面の向いた方位の情報に基づき、演算することができ、任意の演算が可能である。
【００４５】
一方、日照無しと判定された場合には、求める開度は、なるべく外光を採り入れることができるような開度の高い非遮蔽開度となる（ステップＳ１１８）。例えば、電動ブラインド１６が横型ブラインドである場合には、非遮蔽開度は、スラットの回転角度の水平を表す度合い、または、スラットの完全上昇を表す度合い、とすることができる。または、太陽高度情報から得た太陽光の入射角度に平行なスラットの回転角度を表す度合いとすることもできる。曇りの場合には、太陽光に向けた角度が最も明るい方向となるからである。
【００４６】
また、照度値以外に、他の優先するべき判定要素、例えば、ある時刻以降はブラインドを閉めるといった、時間による制御を行う必要があれば、その判定要素による開度が優先する（ステップＳ１２０〜Ｓ１２２）。
【００４７】
開度を演算すると、その開度に電動ブラインド１６を動作させるためのブラインド制御信号を送信する（ステップＳ１２４）。ブラインド制御信号は、各ブラインド制御装置１８へと送られて、各電動ブラインド１６の動作が行われる。
【００４８】
時間Ｔ毎に、ステップＳ１０２〜Ｓ１２４が繰り返されて、天候の変化に追従した自動制御が行なわれる。
【００４９】
日照判定手段４０による日照判定は、図６に示すフローチャートに従って行なわれる。まず、前記日照検出装置１２からの最新の直達照度値ΔＩを前述のようにフロア制御装置１４を介して取得する（ステップＳ２０２）。そして、これらの差異と基準値ΔＴｈとの比較を行う（ステップＳ２０６）。
【００５０】
[数２]
ΔＩ≦ΔＴｈ
上記不等式を満足する場合には、日照無しと判定する(ステップＳ２０８)。直達照度値が小さいということは、直射光が存在していないことを意味しているからである。一方、上記不等式を満足しない場合には、日照有りと判定する(ステップＳ２１０)。直達照度値が十分大きいということは、直射光が存在していることを意味しているからである。
【００５１】
上記判定した後は、自動制御処理に戻り、それぞれの場合に応じたブラインドの開度を求める。
【００５２】
以上のように、この実施形態では、照度センサ５２と遮蔽部材である遮蔽板５４とからなる日照検出装置１２からの全天空照度値と散乱照度値の差異である直達照度値によって、日照有無を判定するために、時間帯や季節にかかわらず、安定して判定することができる。また、１つの照度センサ５２で構成できるために、簡単に低コストで構成することができる。
【００５３】
図８ないし図１０は、本発明の日照検出装置のさらに好適な例である第２実施形態を表す図である。図において、図３と同一の部材は同一の符号を付している。
【００５４】
この例では、照度センサ５２、遮蔽板５４及びモータ５６を支持するべくモータケース５５が載置される載置台７０が、軸受７１を介して支持フレーム７２に回転可能に支持される。さらに、支持フレーム７２はターンテーブルとなっており、支持台７４に対して回転可能に載置される。支持台７４は地球に対して固定的に設置され、支持フレーム７２は図示しない内蔵モータによって鉛直軸回りに回転可能になっており、載置台７０はモータ７６によって支持フレーム７２に対して水平軸回りに回転可能となっている。
【００５５】
支持フレーム７２は、現日時に対応する太陽の方位を太陽位置メモリ６２から参照する図示しないモータ制御部によって常時、太陽の方位に追従するように制御されるモータによって回転される。この場合、図９に示したように、載置台７０が水平で且つ遮蔽板５４が照度センサ５２に対して相対的に照度センサ５２の頂点を通る中心軸線の真上の位置にあると仮定した場合の状態で、常に、遮蔽板５４の水平面への投影線が太陽の方位と平行になるように追従させる。また、載置台７０は、現日時に対応する太陽の方位を太陽位置メモリ６２から参照する図示しないモータ制御部によって常時、太陽の仰角に一致するように制御されるモータ７６によって回転される。この場合、図１０に示したように、遮蔽板５４が照度センサ５２に対して相対的に照度センサ５２の中心軸線の真上の位置にある状態で、常に、遮蔽板５４が照度センサ５２と太陽との結ぶ線上に配置されるように、遮蔽板５４の回転軸と平行な水平軸の回りで回転させる。以上の遮蔽板５４と照度センサ５２の一体的な２軸回りの回転によって、前記第１相対位置は、常に、遮蔽板５４が照度センサ５２に対して相対的に照度センサ５２の中心軸線の真上の位置にある状態となり、一定の位置関係となる。
【００５６】
つまり、太陽の位置にかかわらず、常に、遮蔽板５４と照度センサ５２の相対関係条件を等しく設定することができるので、上述（１）式において、１／ｃｏｓθを乗算する補正は不要となる。こうして、照度センサ５２の指向性の影響を受けることなく、より精度の高い測定を行なうことができるようになる。
【００５７】
図１１ないし図１４は、第３の実施形態を表す図であり、複数の日照検出装置１２を異なる場所に配置した例である。図１２に示したように、周囲の建物の状況、時間または季節によっては、日照検出装置１２が周囲の建物の影に入ってしまうことがある場合がある。このような場合には、複数の日照検出装置１２を離間して設けておくとよく、その設置座標を中央制御装置１３が記録しておくとよい。そして、図１３に示したように、中央制御装置１３において、日時に関連付けて周囲の建物によって形成される影の座標が格納されたシャドウファイル３５を備えている。
【００５８】
中央制御装置１３の日照判定手段４０による日照判定は、各日照検出装置１２からの直達照度値を取り込み（ステップＳ３０２）、さらに、シャドウファイル３５から現在日時に対応する影座標である影データを取り込み（ステップＳ３０４）、影データから各日照検出装置１２の設置座標が影内にあるか否かを判定する（ステップＳ３０６）。そして、影内にあると判定された日照検出装置１２からの直達照度値は、最新の直達照度値ΔＩを求めるのに際して使用しないようにする（ステップＳ３１０）。
【００５９】
影内にないと判定された日照検出装置が複数あった場合、最新の直達照度値ΔＩとして、複数の直達照度値の平均値を採用するか、最大の直達照度値を採用するか、任意の方法により直達照度値とすることができる(ステップＳ３０８、３１０)。以降の処理は、図６のステップＳ２０６以降と同じである。
【００６０】
こうして、影に入った日照検出装置からの検出信号を採用しないようにして、誤差の発生を防ぎ、より高精度に日照の有無の判定を行なうことができるようになる。
【００６１】
尚、以上の実施形態では、日照検出装置１２において直達照度値を演算するようにしているが、これに限るものではなく、中央制御装置１３またはそれ以外の他の装置において直達照度値を演算するようにしてもよく、日照判定手段４０を日照検出装置１２内に設けることも可能であり、特許請求の範囲内において様々な変形が可能である。
【図面の簡単な説明】
【００６２】
【図１】本発明による電動ブラインドの制御装置及び電動ブラインドを含む構成概要図である。
【図２Ａ】本発明の第１実施形態による電動ブラインドの制御装置の詳細ブロック図である。
【図２Ｂ】日照検出装置の演算装置の詳細ブロック図である。
【図３Ａ】日照検出装置の斜視図である。
【図３Ｂ】日照検出装置の側面図である。
【図４】直達照度値演算のフローチャートである。
【図５】自動制御処理のフローチャートである。
【図６】日照判定処理のフローチャートである。
【図７】遮蔽部材である遮蔽板と照度センサとの相対位置関係を表す説明正面図である。
【図８】本発明の日照検出装置の第２実施形態を表す側面図である。
【図９】鉛直軸回りの照度センサ及び遮蔽板の回転を表す説明平面図である。
【図１０】水平軸回りの照度センサ及び遮蔽板の回転を表す説明正面図である。
【図１１】本発明による第３の実施形態による電動ブラインドの制御装置及び電動ブラインドを含む構成概要図である。
【図１２】周囲の建物の状況を表す斜視図である。
【図１３】第３実施形態による電動ブラインドの制御装置の詳細ブロック図である。
【図１４】第３実施形態による日照判定処理の一部を表すフローチャートである。
【符号の説明】
【００６３】
１０  制御装置
１２  日照検出装置
１３  中央制御装置
１６  電動ブラインド
３５  シャドウファイル
３８  自動制御手段
４０  日照判定手段
５２  照度センサ
５４  遮蔽板（遮蔽部材）
Ａ    全天空照度値
Ｂ    散乱照度値
ΔＩ  直達照度値
ΔＴｈ  基準値（設定値）
【図１】
0004584104.tif 000002
【図２Ａ】
0004584104.tif 000003
【図２Ｂ】
0004584104.tif 000004
【図３Ａ】
0004584104.tif 000005
【図３Ｂ】
0004584104.tif 000006
【図４】
0004584104.tif 000007
【図５】
0004584104.tif 000008
【図６】
0004584104.tif 000009
【図７】
0004584104.tif 000010
【図８】
0004584104.tif 000011
【図９】
0004584104.tif 000012
【図１０】
0004584104.tif 000013
【図１１】
0004584104.tif 000014
【図１２】
0004584104.tif 000015
【図１３】
0004584104.tif 000016
【図１４】
0004584104.tif 000017